(57)【要約】      （修正有）【課題】衣類の着用者の本来的な体型にかかわらず、衣類着用時の姿態を美しく演出することができる、引き締めベルトを備えた衣類を提供する。【解決手段】衣類（Ｔシャツ）は、衣類本体１０と、吊り下げ材２０と、引き締め用のベルト部３０とを備える。吊り下げ材２０の上端部が衣類本体の上位布部分１１に連結され、吊り下げ材２０の下端部にはベルト部３０が連結され、該ベルト部は着用者の腹部又は腰部に対応する高さ位置に支持される。ベルト部３０は、吊り下げ材２０の下端部に連結されると共に少なくとも左右方向に伸縮可能な帯状の弾性部３１と、弾性部３１の左右端部に設けられた左右の係合部３３、３４とを有する。衣類の着用時に、弾性部３１を伸張させながらベルト部３０を着用者の胴周りに巻き付けて左右の係合部３３、３４を相互係合させることで、着用者の胴を引き締めることができる。【選択図】図１
0003235514.tif 000002
【実用新案登録請求の範囲】
【請求項１】
着用者の首、肩、背上部及びこれらの近傍に対応する布部分を含む上位布部分（１１）と、着用者の腹部、腰部及びこれらの近傍に対応する布部分を含む下位布部分（１２）とを有してなる衣類本体（１０）と、
前記衣類本体の内側に取り付けられる吊り下げ材（２０）と、
引き締め用のベルト部（３０）と、
を備えた衣類であって、
前記吊り下げ材の上端部が前記衣類本体の上位布部分に連結され、前記吊り下げ材が衣類本体の上位布部分から下位布部分に向けて延びており、前記吊り下げ材の下端部には前記ベルト部が連結され、前記ベルト部が前記吊り下げ材によって着用者の腹部又は腰部に対応する高さ位置に支持されており、
前記引き締め用のベルト部（３０）は、
前記吊り下げ材の下端部に連結されると共に少なくとも左右方向に伸縮可能な帯状の弾性部（３１）と、
前記弾性部の左端部及び右端部にそれぞれ設けられた左右の係合部（３３，３４）と、
を有しており、
当該衣類の着用時に、前記弾性部（３１）を伸張させながら前記ベルト部（３０）を着用者の胴周りに巻き付けて前記左右の係合部（３３，３４）を相互係合させることで、着用者の胴を引き締め可能とすることを特徴とする衣類。
【請求項２】
前記吊り下げ材（２０）の上端部は、前記衣類本体の上位布部分（１１）に対し固着して又は着脱可能に連結されていることを特徴とする請求項１に記載の衣類。
【考案の詳細な説明】
【技術分野】
【０００１】
本考案は、人の胴体を引き締めるためのベルトを備えた衣類に関するものである。
【背景技術】
【０００２】
例えば紳士用の衣服（例えばスーツ、ジャケット、ベスト等）においては、衣服の着用者の本来的な体型（の悪さ）にもかかわらず、衣服着用時の姿態を美しく見せたいというニーズが存在する。具体的には、何らかの矯正手段によって人体の一部を引き締めることで、たるんだお腹を引っ込めてすっきり見せたいとか、ウエスト周りを引き締まった状態に見せたいとか、スーツ姿をスマートで格好良く見せたいといったニーズが存在する。
【０００３】
このようなニーズに応えて、本出願人は「引き締めベルト付き衣服」を既に提案している（実用新案登録第３２３１６２５号公報参照）。この登録公報に記載の一実施形態（同公報の段落００１１〜００１４）によれば、衣服としてのベストの本体（２）は、表地及び／又は裏地からなる布製の身頃を複数縫い合わせて構成されている。当該ベスト本体の内側（即ち裏地身頃）に対して、人の腹部に対応する高さ位置において引き締めベルトの主ベルト部（３）を縫い付けることで、主ベルト部（３）がベスト本体（２）に直接的に取り付けられている。そして、ベストの着用後に、主ベルト部で着用者の出っ張ったお腹を引き締めることで、着用者の体型を矯正又は補正し、ベスト着用時の姿態を美しく見せることができる。
【先行技術文献】
【特許文献】
【０００４】
【特許文献１】実用新案登録第３２３１６２５号公報
【考案の概要】
【考案が解決しようとする課題】
【０００５】
引き締めベルト付き衣服が、ベストのようにスーツやジャケットの下に隠れ得る衣類の場合には、主ベルト部（３）による出っ張ったお腹の引き締めに伴い、ベスト本体が絞り込まれてシワを生じたとしても、外見上の不格好さが目立つということもない。これに対し、例えばＴシャツのようにそれ自体で最外面を演出することになる衣類に対して上記従来技術の考案をそのまま適用した場合、主ベルト部の引き締めに伴うＴシャツ本体の絞り込みやシワの発生が目立ちやすく、不自然で不格好な印象を与えるおそれがある。これでは、主ベルト部の引き締め作用により着用者の体型を矯正又は補正できたとしても、衣類着用時の姿態を美しく見せるという本来の目的を十分に達成し得ない。
【０００６】
本考案は、かかる事情に鑑みてなされたものであり、本考案の目的は、従来技術の欠点を克服しつつ、衣類の着用者の本来的な体型にかかわらず、衣類着用時の姿態を美しく演出することができる衣類を提供することにある。
【課題を解決するための手段】
【０００７】
請求項１の本考案は、
着用者の首、肩、背上部及びこれらの近傍に対応する布部分を含む上位布部分と、着用者の腹部、腰部及びこれらの近傍に対応する布部分を含む下位布部分とを有してなる衣類本体と、
前記衣類本体の内側に取り付けられる吊り下げ材と、
引き締め用のベルト部と、
を備えた衣類であって、
前記吊り下げ材の上端部が前記衣類本体の上位布部分に連結され、前記吊り下げ材が衣類本体の上位布部分から下位布部分に向けて延びており、前記吊り下げ材の下端部には前記ベルト部が連結され、前記ベルト部が前記吊り下げ材によって着用者の腹部又は腰部に対応する高さ位置に支持されており、
前記引き締め用のベルト部は、
前記吊り下げ材の下端部に連結されると共に少なくとも左右方向に伸縮可能な帯状の弾性部と、
前記弾性部の左端部及び右端部にそれぞれ設けられた左右の係合部と、を有しており、
当該衣類の着用時に、前記弾性部を伸張させながら前記ベルト部を着用者の胴周りに巻き付けて前記左右の係合部を相互係合させることで、着用者の胴を引き締め可能とすることを特徴とする衣類である。
【０００８】
請求項２の本考案は、請求項１に記載の衣類において、
前記吊り下げ材の上端部は、前記衣類本体の上位布部分に対し固着して又は着脱可能に連結されていることを特徴とする。
【考案の効果】
【０００９】
本考案の衣類によれば、以下のような作用及び効果を奏する。
衣類の着用時、ベルト部の帯状弾性部を伸張させながら当該ベルト部を人の胴周りに巻き付けると共に弾性部の左右端部にそれぞれ設けられた左右の係合部を相互係合させる。すると、伸張させた弾性部が元の状態に収縮しようとする復元力が生じ、この復元力に基づいてベルト部が着用者の胴（即ち、腹部や腰部）を引き締める。よって、着用者の本来的な体型にかかわらず衣類着用時の姿態を美しく演出することができる。
【００１０】
更に本考案では、引き締め用のベルト部は、衣類本体の内側に取り付けられた吊り下げ材によって、衣類本体の内側にて着用者の腹部又は腰部に対応する高さ位置に独立的に支持されている。このため、ベルト部によって着用者の胴を引き締めた場合でも、外側に位置する衣類本体が絞り込まれたりシワを生じたりすることがなく、衣類の外見（外観）が損なわれない。従って本考案によれば、ベルト部の引き締め作用により着用者の体型を矯正又は補正しながらも、なお且つ、衣類着用時の姿態を美しく演出することができる。
【００１１】
また、吊り下げ材の上端部を衣類本体の上位布部分に対して着脱可能に連結しておくことで、必要に応じて（例えば洗濯時や収納・保管時などに応じて）、衣類本体から、吊り下げ材及びベルト部を取り外すことができ、保守管理上の利便性が高められる。
【図面の簡単な説明】
【００１２】
【図１】本考案の着想を分解斜視状態で示した概略図。
【図２】本考案の一実施形態に従うＴシャツの正面図。
【図３】（Ａ）は吊り下げ材およびベルト部を展開して示す正面図、（Ｂ）は主にベルト部の平面図（Ａ−Ａ線での断面図に相当）
【図４】着用時、人の胴周りに巻き付けられたベルト部を示す概略図。
【図５】マネキン人形に本考案のＴシャツを着用させて腹側をめくり上げた状態を示す正面図。
【図６】マネキン人形に本考案のＴシャツを着用させて背側をめくり上げた状態を示す背面図。
【図７】本考案の別例を構成する吊り下げ材およびベルト部を示し、（Ａ）は着用状態における概略斜視図、（Ｂ）は展開した状態を示す正面図。
【考案を実施するための形態】
【００１３】
図１及び図２に示すように、本考案は、衣類本体１０の内側において吊り下げ材２０を介して引き締め用のベルト部３０を吊り下げ支持するとの着想に基づくものである。
【００１４】
以下、本考案をＴシャツに具体化した一実施形態について図面を参照しつつ説明する。本考案に係る衣類としてのＴシャツは、衣類本体（Ｔシャツ本体）１０と、吊り下げ材２０と、引き締め用のベルト部３０とを備えている。
【００１５】
衣類本体（Ｔシャツ本体）１０は、周知のように前身頃と後身頃とを縫い合わせてなるものであり、図１及び図２に示すように、それぞれの身頃（特に後身頃）は概ね、上位布部分１１と下位布部分１２とからなる。上位布部分１１とは、主として着用者の首、肩、背上部及びこれらの近傍に対応する布部分（例えば襟や袖山に沿った部分、背中の上部に対応する布部分など）をいう。下位布部分１２とは、着用者の腹部、腰部及びこれらの近傍に対応する布部分をいう。
【００１６】
吊り下げ材２０は、縦方向（上下方向）に一定の長さを有し且つ横方向（左右方向）にも一定の長さ（横幅）を有する布材であると共に、上下方向及び左右方向のいずれにも一定の伸縮性を有する弾性布で構成されている。吊り下げ材２０を構成する布（弾性布）は、通気性を確保するために、例えば多数の細孔を備えた布やメッシュ状又は格子状の布からなることが好ましい。
【００１７】
吊り下げ材２０は衣類本体１０の内側に配置されると共に、吊り下げ材２０の上端部２１は、衣類本体１０の後身頃の上位布部分１１に連結されている。図１及び図２では、吊り下げ材の上端部２１は、後身頃の上位布部分１１のうちの背上部の付近に連結されている。吊り下げ材２０を後身頃の上位布部分１１に連結するに際しては、吊り下げ材の上端部２１が後身頃の上位布部分１１に対し、縫製により直接的に縫い付けられてよいし、あるいは、図示しない着脱部材（例えば、ボタン、スナップ、面ファスナー等）を介在させることで、吊り下げ材の上端部２１を後身頃の上位布部分１１に対して着脱可能に連結してもよい。
【００１８】
吊り下げ材の上端部２１を後身頃の上位布部分１１に連結することで、吊り下げ材２０は、衣類本体１０の内側において垂れ下がる、即ち、上衣布部分１１から下位布部分１２に向けて延在することになる。そして、吊り下げ材の下端部２２には引き締め用のベルト部３０が縫製等により連結され、その結果、当該ベルト部３０は、衣類本体１０の内側において吊り下げ材２０によって吊り下げ支持される。このベルト部３０は、概ね人（着用者）の腹部又は腰部に対応する高さ位置において左右に帯状に延びた状態で支持される。なお、吊り下げ材２０およびベルト部３０は、Ｔシャツの着用時には衣類本体１０によって隠され、外側にはほとんど表れない。
【００１９】
図３（Ａ）及び（Ｂ）に示すように、ベルト部３０は、中心に位置する横長な帯状の弾性部３１と、左右一対の面ファスナー部３３，３４とを有している。帯状の弾性部３１の上縁部３１ａは、吊り下げ材２０の下端部２２（具体的には下端縁部）に縫製等によって連結されている。この弾性部３１は、ゴム弾性を有する薄布状の素材からできており、弾性部３１は少なくとも長手方向（即ち図３の左右方向）に伸縮可能となっている。
【００２０】
帯状の弾性部３１のそれぞれの先端（左端部及び右端部）には、面ファスナー部３３，３４が連結されている。ちなみに、これら二つの面ファスナー部３３，３４は、ベルト部３０における係合部を構成する。弾性部３１の一方の先端（図３では左端）に連結された面ファスナー部３３は、一方の面（ベルトの巻き付け時に外側を向く面、図４参照）において面ファスナーを構成するフック起毛部３３ａを有しており、反対側の面において面ファスナーを構成するループ起毛部３３ｂを有している。同様に、弾性部の他方の先端（図３では右端）に連結された面ファスナー部３４は、一方の面（ベルトの巻き付け時に外側を向く面、図４参照）において面ファスナーを構成するフック起毛部３４ａを有しており、反対側の面において面ファスナーを構成するループ起毛部３４ｂを有している。なお、面ファスナー部のフック起毛部（３３ａ，３４ａ）とループ起毛部（３３ｂ，３４ｂ）とが重ね合わせられることで、面ファスナーの接着作用が生じることは周知の通りである。
【００２１】
図４（概略図）、図５（正面図）及び図６（背面図）は、Ｔシャツ着用時の状態を簡略化して示す。特に図４は、ベルト部３０を人（着用者）の胴周りに巻き付けたときの状況を概略的に示すものである（但し同図では人の胴の図示を省略している）。
【００２２】
図４に示すように、ベルト部３０を人の胴に巻き付ける際には、弾性部３１を伸張させると共に、弾性部３１の両先端に位置する面ファスナー部３３，３４を人の腹部の前で交差させる。そして、弾性部３１の伸張状態を保ったまま、一方の面ファスナー部３３のフック起毛部３３ａに対して、もう一方の面ファスナー部３４のループ起毛部３４ｂを係合（つまり接着）させる。すると、伸張させた弾性部３１には元の状態（非伸張状態）に収縮しようとする復元力が生じ、この復元力に基づいてベルト部３０が人の胴（具体的には腹部及びその周辺部）を引き締める。かかる引き締め作用により、着用者の出っ張ったお腹が引き締められる。このように本考案のＴシャツ（のベルト部３０）によれば、着用者のお腹の出っ張りという悪い体型を適宜矯正又は補正することで、ベスト着用時の姿態を美しく見せることができる。
【００２３】
加えて、本実施形態のベルト部３０は、衣類本体１０の内側に取り付けられた吊り下げ材２０によって、衣類本体１０の内側にて着用者の腹部や腰部に対応する高さ位置に独立的に支持されている。このため、ベルト部３０によって着用者の胴を引き締めた場合でも、外側に位置する衣類本体１０が絞り込まれたりシワを生じたりすることがなく、衣類の外見（外観）が損なわれるおそれがない。従って、ベルト部３０の引き締め作用により着用者の体型を矯正又は補正しながらも、なお且つ、衣類着用時の姿態を美しく演出することができる。
【００２４】
［変更例］  以下、本考案の実施形態の別例等について簡単に説明する。
図７（Ａ）及び（Ｂ）は、本考案の別例における吊り下げ材２０およびベルト部３０を示す。具体的には、図３（Ａ）に示す吊り下げ材２０に代えて、図７（Ｂ）に示すような吊り下げ材２０を採用しても良い。
即ち、図７（Ｂ）の吊り下げ材２０は、中央吊り下げ部２５と、その左右両側に配置された左右一対の副吊り下げ部２６，２７とを有している。中央吊り下げ部２５は、その下端部２５ａがベルト部３０の帯状の弾性部３１と連結されている。一対の副吊り下げ部２６，２７は、各々の下端部２６ａ，２７ａがベルト部３０の一対の面ファスナー部３３，３４とそれぞれ連結されている。そして図７（Ａ）が示唆するように、中央吊り下げ部２５の上端部２５ｂは、衣類本体の後身頃の上位布部分１１のうちの特に襟付近（首周りを囲む布部分）に連結され、副吊り下げ部２６，２７の各上端部２６ｂ，２７ｂも襟の左右端付近に連結されている。この構成によれば、中央吊り下げ部２５によって弾性部３１を吊り下げ支持するにとどまらず、一対の副吊り下げ部２６，２７によって左右の面ファスナー部３３，３４を直接的に吊り下げ支持できるため、着用時に面ファスナー部３３，３４の一部がＴシャツ本体の裾から下にはみ出すおそれを低減することができる。
【００２５】
本考案は、Ｔシャツのみならず、紳士用、婦人用、子供用あるいは老人用といった様々な衣類（例えばスーツ、ジャケット、ドレスシャツ、ポロシャツ等）にも適用することができる。
【００２６】
上記実施形態では、ベルト部３０における「係合部」として面ファスナー（部）を採用しているが、本考案における「係合部」は面ファスナーに限定されるものではなく、ボタン、スナップ、フック、ファスナー、ヒモ等の掛け留め具で構成されてもよい。
【符号の説明】
【００２７】
１０  Ｔシャツ本体（衣類本体）
１１  上位布部分
１２  下位布部分
２０  吊り下げ材
２１  吊り下げ材の上端部
２２  吊り下げ材の下端部
３０  引き締め用のベルト部
３１  帯状の弾性部
３３  面ファスナー部（係合部）
３４  面ファスナー部（係合部）
【図１】
0003235514.tif 000003
【図２】
0003235514.tif 000004
【図３】
0003235514.tif 000005
【図４】
0003235514.tif 000006
【図５】
0003235514.tif 000007
【図６】
0003235514.tif 000008
【図７】
0003235514.tif 000009